(57)【要約】【課題】  トラックのコーナーを左回りに走行する際に靴に対する靴下の滑りを抑制するソックスを提供する。【解決手段】  ソックス１０は、左足用靴下１０ａの足底部１１ｄの表地面における着用者の左足の第５趾１１５、第５中足骨１２５、第４趾１１４、第４中足骨１２４、立方骨１３０及び踵骨１４０に対応する領域に第１の滑り止め部材３ａが配設され、右足用靴下１０ｂの足底部１１ｄの表地面における着用者の右足の母趾１１１、第１中足骨１２１、内側楔状骨１５０、舟状骨１６０及び距骨１７０に対応する領域に第２の滑り止め部材３ｂが配設される。【選択図】        図１
2014101587.tif 000002
【特許請求の範囲】
【請求項１】
一対の左足用靴下及び右足用靴下からなるソックスにおいて、
前記左足用靴下の足底部の表地面における右側半分の領域のうち着用者の左足の少なくとも第５趾及び第５中足骨に対応する領域に滑り止め部材が配設され、
前記右足用靴下の足底部の表地面における右側半分の領域のうち着用者の右足の少なくとも母趾及び第１中足骨に対応する領域に滑り止め部材が配設されることを特徴とするソックス。
【請求項２】
前記請求項１に記載のソックスにおいて、
前記左足用靴下の足底部の裏地面における左側半分の領域のうち着用者の左足の少なくとも第５趾及び第５中足骨に対応する領域に滑り止め部材が配設され、
前記右足用靴下の足底部の裏地面における左側半分の領域のうち着用者の右足の少なくとも母趾及び第１中足骨に対応する領域に滑り止め部材が配設されることを特徴とするソックス。
【請求項３】
前記請求項２に記載のソックスにおいて、
前記左足用靴下の足底部の表地面における滑り止め部材と、前記左足用靴下の足底部の裏地面における滑り止め部材とが連通し、
前記右足用靴下の足底部の表地面における滑り止め部材と、前記右足用靴下の足底部の裏地面における滑り止め部材とが連通していることを特徴とするソックス。
【請求項４】
前記請求項１に記載のソックスにおいて、
前記左足用靴下の足底部の裏地面における左側半分の領域のうち着用者の左足の少なくとも第５趾及び第５中足骨に対応する領域がパイル編みで編成され、
前記右足用靴下の足底部の裏地面における左側半分の領域のうち着用者の右足の少なくとも母趾及び第１中足骨に対応する領域がパイル編みで編成されることを特徴とするソックス。
【請求項５】
前記請求項１乃至４のいずれかに記載のソックスにおいて、
ベース生地の周方向の伸縮抵抗に対して周方向の伸縮抵抗の大きい編地からなり、着用者の中足趾節関節及び足根中足関節に対応する部分を周回し、着用者の第１中足骨骨頭部及び第５中足骨基底部を押圧する帯状部を備えることを特徴とするソックス。
【発明の詳細な説明】
【技術分野】
【０００１】
本発明は、足底部に滑り止め部材が配設される一対の左足用靴下及び右足用靴下からなるソックスに関するものである。
【背景技術】
【０００２】
従来の作業用靴下は、靴下の接地面側の踵部、外側縁部、内側縁部、足裏部の領域にゴムや軟質のプラスチック等から成る滑り止め部材を点状に貼り付ける。これにより、靴下は床等の上で荷物を運搬、配達する際には滑り難く、靴を履く際には履き易くなる（例えば、特許文献１参照）。
【先行技術文献】
【特許文献】
【０００３】
【特許文献１】特開２００１−９８４０１号公報
【発明の概要】
【発明が解決しようとする課題】
【０００４】
従来の作業用靴下は、靴を履き易くかつ靴を脱いだ後は床面で滑り難くするのであるが、底面のボールガース部からつま先部領域に滑り止め部材を付設しておらず、靴を履いた状態での走行時における靴に対する靴下の滑りを考慮したものではなく、特に、トラック（競争用の走路）のコーナー（曲がり角）を左回り（反時計回り）に走行する際に滑り止め部材による効果が不十分であるという課題がある。
【０００５】
本発明は、上述のような課題を解決するためになされたもので、トラックのコーナーを左回りに走行する際に靴に対する靴下の滑りを抑制することができるソックスを提供することを目的とする。
【課題を解決するための手段】
【０００６】
本発明に係るソックスにおいては、左足用靴下の足底部の表地面における右側半分の領域のうち着用者の左足の少なくとも第５趾及び第５中足骨に対応する領域に滑り止め部材が配設され、右足用靴下の足底部の表地面における右側半分の領域のうち着用者の右足の少なくとも母趾及び第１中足骨に対応する領域に滑り止め部材が配設されるものである。
【０００７】
また、本発明に係るソックスにおいては、必要に応じて、左足用靴下の足底部の裏地面における左側半分の領域のうち着用者の左足の少なくとも第５趾及び第５中足骨に対応する領域に滑り止め部材が配設され、右足用靴下の足底部の裏地面における左側半分の領域のうち着用者の右足の少なくとも母趾及び第１中足骨に対応する領域に滑り止め部材が配設されるものである。
【０００８】
また、本発明に係るソックスにおいては、必要に応じて、左足用靴下の足底部の表地面における滑り止め部材と、左足用靴下の足底部の裏地面における滑り止め部材とが連通し、右足用靴下の足底部の表地面における滑り止め部材と、右足用靴下の足底部の裏地面における滑り止め部材とが連通しているものである。
【０００９】
さらに、本発明に係るソックスにおいては、必要に応じて、左足用靴下の足底部の裏地面における左側半分の領域のうち着用者の左足の少なくとも第５趾及び第５中足骨に対応する領域がパイル編みで編成され、右足用靴下の足底部の裏地面における左側半分の領域のうち着用者の右足の少なくとも母趾及び第１中足骨に対応する領域がパイル編みで編成されるものである。
【００１０】
また、本発明に係るソックスにおいては、必要に応じて、ベース生地の周方向の伸縮抵抗に対して周方向の伸縮抵抗の大きい編地からなり、着用者の中足趾節関節及び足根中足関節に対応する部分を周回し、着用者の第１中足骨骨頭部及び第５中足骨基底部を押圧する帯状部を備えるものである。
【発明の効果】
【００１１】
本発明に係るソックスにおいては、左足用靴下の足底部の表地面における右側半分の領域のうち着用者の左足の少なくとも第５趾及び第５中足骨に対応する領域に滑り止め部材が配設され、右足用靴下の足底部の表地面における右側半分の領域のうち着用者の右足の少なくとも母趾及び第１中足骨に対応する領域に滑り止め部材が配設されることにより、トラックのコーナーを左回りに走行する際に靴に対する靴下の滑りを抑制することができるものである。
【００１２】
また、本発明に係るソックスにおいては、左足用靴下の足底部の裏地面における左側半分の領域のうち着用者の左足の少なくとも第５趾及び第５中足骨に対応する領域に滑り止め部材が配設され、右足用靴下の足底部の裏地面における左側半分の領域のうち着用者の右足の少なくとも母趾及び第１中足骨に対応する領域に滑り止め部材が配設されることにより、トラックのコーナーを左回りに走行する際に着用者の足裏に対する靴下の滑りを抑制することができる。
【００１３】
また、本発明に係るソックスにおいては、左足用靴下の足底部の表地面における滑り止め部材と、左足用靴下の足底部の裏地面における滑り止め部材とが連通し、右足用靴下の足底部の表地面における滑り止め部材と、右足用靴下の足底部の裏地面における滑り止め部材とが連通していることにより、足底部の表地面及び裏地面における各滑り止め部材を一体として一時に形成することができ、製造工程の簡略化を図ることができる。
【００１４】
さらに、本発明に係るソックスにおいては、左足用靴下の足底部の裏地面における左側半分の領域のうち着用者の左足の少なくとも第５趾及び第５中足骨に対応する領域がパイル編みで編成され、右足用靴下の足底部の裏地面における左側半分の領域のうち着用者の右足の少なくとも母趾及び第１中足骨に対応する領域がパイル編みで編成されることにより、合成樹脂又は天然樹脂にかぶれる傾向にある着用者に対しても、ソックスを快適に履かせることができる。
【００１５】
また、本発明に係るソックスにおいては、ベース生地の周方向の伸縮抵抗に対して周方向の伸縮抵抗の大きい編地からなり、着用者の中足趾節関節及び足根中足関節に対応する部分を周回し、着用者の第１中足骨骨頭部及び第５中足骨基底部を押圧する帯状部を備えることにより、着用者の第２趾、第３趾及び第４趾に対して母趾及び第５趾を効率よく外側に広げることができ、足裏の横揺れ及び横振れを防止する横アーチと縦揺れを防止してクッション作用を奏する縦アーチとを形成して、足裏の安定性を向上することができる。
【図面の簡単な説明】
【００１６】
【図１】（ａ）は第１の実施形態に係るソックスの左足用靴下を左上側からみた左上側斜視図であり、（ｂ）は第１の実施形態に係るソックスの左足用靴下を右下側からみた右下側斜視図であり、（ｃ）は図１（ｂ）に示す足底部の表地面を示す底面図である。
【図２】（ａ）は第１の実施形態に係るソックスの右足用靴下を右上側からみた右上側斜視図であり、（ｂ）は第１の実施形態に係るソックスの右足用靴下を左下側からみた左下側斜視図であり、（ｃ）は図２（ｂ）に示す足底部の表地面を示す底面図である。
【図３】（ａ）は図１（ｂ）に示す足底部の裏地面を示す平面図であり、（ｂ）は図２（ｂ）に示す足底部の裏地面を示す平面図である。
【図４】（ａ）は足底部の表地面に液体状の滑り止め部材を塗布した状態における図１（ｃ）に示す足底部の矢視Ａ−Ａ’線の断面図であり、（ｂ）は図４（ａ）に示す液体状の滑り止め部材が足底部の内部に染み出している状態における図１（ｃ）に示す足底部の矢視Ａ−Ａ’線の断面図であり、（ｃ）は図３（ａ）に示す足底部の矢視Ｂ−Ｂ’線の断面図である。
【発明を実施するための形態】
【００１７】
（本発明の第１の実施形態）
フートウェアは、足袋、くつ下及び脚胖に分類され、さらに、くつ下を大別すると、足部のみからなるフートカバー類、口ゴム部、身部及び足部の三部位からなるソックス類、身部がソックスよりも著しく長いストッキング類、並びに上部にパンティ部が付いたタイツ及びパンティ・ストッキング類に分類することができる。
すなわち、フートウェアは、足部、必要に応じて身部、口ゴム部又はパンティ部を、適宜備えることで、それぞれの用途目的に合った足の衣服となる。
【００１８】
以下、本実施形態においては、足部１１、身部１２及び口ゴム部１３を備えたソックス１０を例に挙げて説明するが、この三部位を備えたソックス１０に限られるものではなく、少なくとも足部１１を備えたフートウェアであればよい。
【００１９】
図１及び図２において、この第１の実施形態に係るソックス１０は、丸編により編成された筒状編地のうち着用者の踵及び爪先に対応する部分を縫製加工してソックス形状とする構成であり、一対の左足用靴下１０ａ及び右足用靴下１０ｂからなる。
【００２０】
ソックス１０（左足用靴下１０ａ、右足用靴下１０ｂ）は、足部１１、身部１２及び口ゴム部１３の三部に大別される。
足部１１は、かかと成形部分であるかかと部１１ａと、爪先成形部分である爪先部１１ｂと、かかと部１１ａ及び爪先部１１ｂの図示しないゴアラインの先端を結ぶ線より上の部分である足甲部１１ｃと、かかと部１１ａ及び爪先部１１ｂの図示しないゴアラインの先端を結ぶ線より下の部分である足底部１１ｄとを備える。
【００２１】
なお、本実施形態に係るソックス１０は、図１（ｃ）及び図２（ｃ）に示すように、着用者の母趾１１１と母趾１１１以外の４つの足指（第２趾１１２、第３趾１１３、第４趾１１４、第５趾１１５）とを分けて爪先部１１ｂに装着できるように、爪先部１１ｂを２つに分割しているが、走行時に爪先部１１ｂから足指が抜けることを防止できるのであればこの形状に限られるものではなく、足部１１の爪先部１１ｂを２以上に分割し構成してもよいし、母趾１１１に限らずに１つの足指と他の４つの足指とを分割し構成してもよいし、複数の足指と他の複数の足指とを分割し構成してもよい。
【００２２】
また、本実施形態に係るソックス１０は、平編やリブ編等により編成されるベース生地１の周方向の伸縮抵抗に対して周方向の伸縮抵抗の大きい編地からなり、着用者の中足趾節関節１８０及び足根中足関節１９０に対応する部分を周回し、着用者の第１中足骨骨頭部１２１ａ及び第５中足骨基底部１２５ｂを押圧する帯状部２を必要に応じて備える。
【００２３】
なお、本実施形態に係る帯状部２は、ベース生地１の編地中に編み目を作らずにゴム糸及びウーリーナイロン糸を編み込んだ挿入編からなる編地であるが、ベース生地１の周方向の伸縮抵抗に対して周方向の伸縮抵抗の大きい編地であれば、この編地に限られるものではない。
【００２４】
また、本実施形態に係る帯状部２は、着用者の中足趾節関節１８０に対応する部分を周回する第１の帯状部２ａと、着用者の足根中足関節１９０に対応する部分を周回する第２の帯状部２ｂとの２つの帯状体から構成されるが、第１の帯状部２ａと第２の帯状部２ｂとを一体にして、１つの帯状体で構成されてもよい。
【００２５】
帯状部２（第１の帯状部２ａ、第２の帯状部２ｂ）は、中足趾節関節１８０における第１中足骨骨頭部１２１ａ及び第５中足骨骨頭部１２５ａと、足根中足関節１９０における第１中足骨基底部１２１ｂ及び第５中足骨基底部１２５ｂとを固定し、第１中足骨骨頭部１２１ａ側の支点２１と第５中足骨基底部１２５ｂ側の作用点２２とを押圧する。これにより、帯状部２は、第２趾１１２、第３趾１１３及び第４趾１１４に対して母趾１１１及び第５趾１１５を効率よく外側に広げることができ、足裏の横揺れ及び横振れを防止する横アーチと縦揺れを防止してクッション作用を奏する縦アーチとを形成して、足裏の安定性を向上することができる。また、帯状部２は、足部の外転や外がえしを防止することにより、ねじれ歩行による膝関節及び股関節における力の逃げを抑制し、下腿部のＯ脚及び股関節のＯ脚を改善することができる。
【００２６】
さらに、帯状部２は、第１中足骨骨頭部１２１ａ側の支点２１と第５中足骨基底部１２５ｂ側の作用点２２とを押圧する部分をパイル編みで隆起させることにより、ソックス１００の着用者が履いた靴の内壁に当接して、着用者の中足趾節関節１８０及び足根中足関節１９０に対応する部分を強く締め付けることができ、横アーチを形成して、後述する滑り止め部材による効果を相乗的に発揮することができる。
【００２７】
左足用靴下１０ａは、足底部１１ｄの表地面（靴の中敷に当接する面）における右側半分の領域のうち着用者の左足の少なくとも第５趾１１５及び第５中足骨１２５に対応する領域に滑り止め部材（以下、第１の滑り止め部材３ａと称す）が配設される。
なお、本実施形態に係る左足用靴下１０ａは、図１（ｃ）に示すように、足底部１１ｄの表地面における着用者の左足の第５趾１１５、第５中足骨１２５、第４趾１１４、第４中足骨１２４、立方骨１３０及び踵骨１４０に対応する領域に第１の滑り止め部材３ａが配設される。
【００２８】
また、右足用靴下１０ｂは、足底部１１ｄの表地面における右側半分の領域のうち着用者の右足の少なくとも母趾１１１及び第１中足骨１２１に対応する領域に滑り止め部材（以下、第２の滑り止め部材３ｂと称す）が配設される。
なお、本実施形態に係る右足用靴下１０ｂは、図２（ｃ）に示すように、足底部１１ｄの表地面における着用者の右足の母趾１１１、第１中足骨１２１、内側楔状骨１５０、舟状骨１６０及び距骨１７０に対応する領域に第２の滑り止め部材３ｂが配設される。
【００２９】
第１の滑り止め部材３ａ及び第２の滑り止め部材３ｂは、ポリ塩化ビニル、アクリル、ポリウレタン若しくはシリコーン等の軟性の合成樹脂又は天然樹脂を接着樹脂とし、ドット加工（パウダードット、ペースドット、ダブルドット）、パウダー加工、くもの巣加工又はフィルム加工等を接着樹脂の加工方法とするものであり、形状は特に限定されるものではない。
【００３０】
なお、本実施形態に係る第１の滑り止め部材３ａ及び第２の滑り止め部材３ｂは、シリコーンゴム製の複数のドット（例えば、直径１ｍｍ、高さ１ｍｍの半球形状凸部）により構成され、例えば、シルクスクリーン印刷法を用いて、足底部１１ｄの表地面における所定の領域に液体状のシリコーンゴムを塗布し、塗布したシリコーンゴムを乾燥させて足底部１１ｄの表地面に固着して配設される。
【００３１】
このように、本実施形態に係るソックス１０は、第１の滑り止め部材３ａが左足用靴下１０ａの足底部１１ｄの表地面における所定の領域に配設され、第２の滑り止め部材３ｂが右足用靴下１０ｂの足底部１１ｄの表地面における所定の領域に配設されることにより、トラックのコーナーを左回りに走行する際に走行者（ソックス１０の着用者）に生じる遠心力に伴い、走行者が履いた靴の中敷に対するソックス１０のコーナー外側に流れる横滑りを抑制して、走行者を前方に推進させる地面からの反力を効率よく受け止め、走行ロスを抑制し、前方への推進力を向上することができる。
【００３２】
なお、本実施形態においては、ベース生地１に用いられる地編糸として、綿５０％とエステル５０％とで配合され、太さ３０デニール、撚り本数１本及び編み本数２本からなる表糸、太さ３０デニールのポリウレタンの芯糸と太さ７５デニールのエステルの巻き糸とからなるカバーリング・ヤーンである裏糸を用いているが、この材質に限られるものではなく、表糸として、綿、毛(カシミヤ、ラム、アンゴラなど)、絹若しくは麻などの天然繊維、アクリルなどの化学繊維、又は吸汗、速乾若しくは体温調整機能を持つ素材などを、ソックス１０のコスト又は着用者のニーズに合わせて選択することが好ましい。また、裏糸として、ナイロン若しくはＦＴＹ、又は抗菌、防臭若しくは消臭素材を、ソックス１０のコスト又は着用者のニーズに合わせて選択することが好ましい。
また、帯状部２におけるウーリーナイロン糸は、太さ１００デニール、撚り本数２本及び編み本数２本からなる。
また、帯状部２におけるゴム糸は、太さ２６０デニールのポリエーテル系の芯糸と太さ７５デニールのエステルの巻き糸とからなるカバーリング・ヤーンである。
【００３３】
（本発明の第２の実施形態）
図３（ａ）は図１（ｂ）に示す足底部の裏地面を示す平面図であり、図３（ｂ）は図２（ｂ）に示す足底部の裏地面を示す平面図である。図４（ａ）は足底部の表地面に液体状の滑り止め部材を塗布した状態における図１（ｃ）に示す足底部の矢視Ａ−Ａ’線の断面図であり、図４（ｂ）は図４（ａ）に示す液体状の滑り止め部材が足底部の内部に染み出している状態における図１（ｃ）に示す足底部の矢視Ａ−Ａ’線の断面図であり、図４（ｃ）は図３（ａ）に示す足底部の矢視Ｂ−Ｂ’線の断面図である。図３及び図４において、図１及び図２と同じ符号は、同一又は相当部分を示し、その説明を省略する。
【００３４】
左足用靴下１０ａは、足底部１１ｄの裏地面（着用者の足裏に当接する面）における左側半分の領域のうち着用者の左足の少なくとも第５趾１１５及び第５中足骨１２５に対応する領域に滑り止め部材（以下、第３の滑り止め部材３ｃと称す）が配設される。
なお、本実施形態に係る左足用靴下１０ａは、図３（ａ）に示すように、足底部１１ｄの裏地面における着用者の左足の第５趾１１５、第５中足骨１２５、第４趾１１４、第４中足骨１２４、立方骨１３０及び踵骨１４０に対応する領域に第３の滑り止め部材３ｃが配設される。
【００３５】
また、右足用靴下１０ｂは、足底部１１ｄの裏地面における着用者の右足の母趾１１１及び第１中足骨１２１に対応する領域に滑り止め部材（以下、第４の滑り止め部材３ｄと称す）が配設される。
なお、本実施形態に係る右足用靴下１０ｂは、図３（ｂ）に示すように、足底部１１ｄの裏地面における着用者の右足の母趾１１１、第１中足骨１２１、内側楔状骨１５０、舟状骨１６０及び距骨１７０に対応する領域に第４の滑り止め部材３ｄが配設される。
【００３６】
第３の滑り止め部材３ｃ及び第４の滑り止め部材３ｄは、ポリ塩化ビニル、アクリル、ポリウレタン若しくはシリコーン等の軟性の合成樹脂又は天然樹脂を接着樹脂とし、ドット加工（パウダードット、ペースドット、ダブルドット）、パウダー加工、くもの巣加工又はフィルム加工等を接着樹脂の加工方法とするものであり、形状は特に限定されるものではない。
【００３７】
なお、本実施形態に係る第３の滑り止め部材３ｃ及び第４の滑り止め部材３ｄは、シリコーンゴム製の複数のドット（例えば、直径１ｍｍ、高さ１ｍｍの半球形状凸部）により構成され、例えば、シルクスクリーン印刷法を用いて、左足用靴下１０ａ及び右足用靴下１０ｂをそれぞれ裏返した（足底部１１ｄの裏地面を露出させた）状態で、足底部１１ｄの裏地面における所定の領域に液体状のシリコーンゴムを塗布し、塗布したシリコーンゴムを乾燥させて足底部１１ｄの表地面に固着して配設される。
【００３８】
しかしながら、第３の滑り止め部材３ｃ及び第４の滑り止め部材３ｄを配設するために、左足用靴下１０ａ及び右足用靴下１０ｂをそれぞれ裏返した状態で、液体状のシリコーンゴムを塗布することは、第１の滑り止め部材３ａ（第２の滑り止め部材３ｂ）と第３の滑り止め部材３ｃ（第４の滑り止め部材３ｄ）とを一時に形成することができず、製造工程が複雑になる。
【００３９】
これに対し、例えば、シルクスクリーン印刷法を用いて、足底部１１ｄの表地面における所定の領域に液体状のシリコーンゴムを塗布し（図４（ａ）参照）、塗布したシリコーンゴムが乾燥しないうちに第１の滑り止め部材３ａ（第２の滑り止め部材３ｂ）の各ドットに対応する半球形状凹部の型で表地面側からシリコーンゴムを押圧して足底部１１ｄの裏地面にシリコーンゴムを染み出させ（図４（ｂ）参照）、第３の滑り止め部材３ｃ（第４の滑り止め部材３ｄ）の各ドットに対応する半球形状凹部の型で染み出したシリコーンゴムを受ける。そして、足底部１１ｄの表地面及び裏地面にあるシリコーンゴムを乾燥させて固着させ、足底部１１ｄの表地面に第１の滑り止め部材３ａ（第２の滑り止め部材３ｂ）を配設させ、足底部１１ｄの裏地面に第３の滑り止め部材３ｃ（第４の滑り止め部材３ｄ）を配設させる。これにより、第１の滑り止め部材３ａ（第２の滑り止め部材３ｂ）と第３の滑り止め部材３ｃ（第４の滑り止め部材３ｄ）とを一体として一時に形成することができ、製造工程の簡略化を図ることができる。
【００４０】
この場合に、左足用靴下１０ａは、足底部１１ｄの表地面における第１の滑り止め部材３ａと、左足用靴下１０ａの足底部１１ｄの裏地面における第３の滑り止め部材３ｃとが連通することになる。
また、右足用靴下１０ｂは、足底部１１ｄの表地面における第２の滑り止め部材３ｂと、右足用靴下１０ｂの足底部１１ｄの裏地面における第４の滑り止め部材３ｄとが連通することになる。
また、足底部１１ｄの表地面から裏地面へのシリコーンゴムの染み出しを円滑にするために、足底部１１ｄをメッシュ編みにより編成することが好ましい。
【００４１】
なお、この第２の実施形態においては、第１の滑り止め部材３ａ及び第２の滑り止め部材３ｂに加えて第３の滑り止め部材３ｃ及び第４の滑り止め部材３ｄが足底部１１ｄの裏地面における所定の領域に配設されるところのみが第１の実施形態と異なるところであり、第３の滑り止め部材３ｃ及び第４の滑り止め部材３ｄによる作用効果以外は、第１の実施形態と同様の作用効果を奏する。
【００４２】
第１の実施形態で前述したように、第１の滑り止め部材３ａ及び第２の滑り止め部材３ｂは、走行者が履いた靴の中敷に対するソックス１０のコーナー外側に流れる横滑りを抑制することができるのであるが、コーナーの曲率半径が小さい場合や走行者の走行速度が大きい場合に走行者に生じる遠心力が大きくなり、走行者が履いたソックス１０（足底部１１ｄの裏地面）及び走行者の足裏間における最大静止摩擦力を超えて、足底部１１ｄの裏地面に対する走行者の足裏が横滑りを起こす可能性がある。
【００４３】
このため、本実施形態に係るソックス１０は、第３の滑り止め部材３ｃが左足用靴下１０ａの足底部１１ｄの裏地面における所定の領域に配設され、第４の滑り止め部材３ｄが右足用靴下１０ｂの足底部１１ｄの裏地面における所定の領域に配設されることにより、ソックス１０の足底部１１ｄの裏地面に対する走行者の足裏の横滑りを抑制して、走行者を前方に推進させる地面からの反力を効率よく受け止め、走行ロスを抑制し、前方への推進力をさらに向上することができる。
【００４４】
なお、本実施形態に係るソックス１０は、足底部１１ｄの裏地面における所定の領域の摩擦係数を上げることができるのであれば、第３の滑り止め部材３ｃ及び第４の滑り止め部材３ｄに限られるものではなく、例えば、足底部１１ｄの裏地面における所定の領域の編地を凹凸が生じる編地にすることが考えられる。
【００４５】
具体例として、左足用靴下１０ａは、足底部１１ｄの裏地面における左側半分の領域のうち着用者の左足の少なくとも第５趾１１５及び第５中足骨１２５に対応する領域がパイル編みで編成される。
特に、本実施形態に係る左足用靴下１０ａは、足底部１１ｄの裏地面における着用者の左足の第５趾１１５、第５中足骨１２５、第４趾１１４、第４中足骨１２４、立方骨１３０及び踵骨１４０に対応する領域がパイル編みで編成される。
【００４６】
また、右足用靴下１０ｂは、足底部１１ｄの裏地面における左側半分の領域のうち着用者の右足の少なくとも母趾１１１及び第１中足骨１２１に対応する領域がパイル編みで編成される。
特に、本実施形態に係る右足用靴下１０ｂは、足底部１１ｄの裏地面における着用者の右足の母趾１１１、第１中足骨１２１、内側楔状骨１５０、舟状骨１６０及び距骨１７０に対応する領域がパイル編みで編成される。
【００４７】
なお、パイル編みで編成される編地は、ベース生地１をなす地編糸に他の編糸（パイル糸）を添えて給糸し、地編糸を表面に、パイル糸を裏面に現すように地編糸とともにパイル糸を編み込み、パイル糸のシンカ・ループを拡大してリング状にパイルを出したパイル編からなる編地である。
【００４８】
このように、本実施形態に係るソックス１０は、第３の滑り止め部材３ｃ及び第４の滑り止め部材３ｄの代替として、足底部１１ｄの裏地面における所定の領域をパイル編みで編成することにより、合成樹脂又は天然樹脂にかぶれる傾向にある着用者に対しても、ソックス１０を快適に履かせることができる。
【００４９】
（本発明のその他の実施形態）
前述した第１の実施形態及び第２の実施形態においては、ソックス１０（フートウェア）を例に挙げて説明したが、本発明を靴に応用してもよい。
【００５０】
すなわち、一対の左足用靴及び右足用靴からなる靴は、左足用靴の靴底における右側半分の領域のうち着用者の左足の少なくとも第５趾及び第５中足骨（好ましくは、第５趾、第５中足骨、第４趾、第４中足骨、立方骨及び踵骨）に対応する領域に滑り止め部材が配設され、右足用靴の靴底における右側半分の領域のうち着用者の右足の少なくとも母趾及び第１中足骨（好ましくは、母趾、第１中足骨、内側楔状骨、舟状骨及び距骨）に対応する領域に滑り止め部材が配設される。
【００５１】
また、一対の左足用靴及び右足用靴からなる靴は、左足用靴の中敷における左側半分の領域のうち着用者の左足の少なくとも第５趾及び第５中足骨（好ましくは、第５趾、第５中足骨、第４趾、第４中足骨、立方骨及び踵骨）に対応する領域に滑り止め部材が配設され、右足用靴の中敷における左側半分の領域のうち着用者の右足の少なくとも母趾及び第１中足骨（好ましくは、母趾、第１中足骨、内側楔状骨、舟状骨及び距骨）に対応する領域に滑り止め部材が配設される。
【００５２】
特に、第１の実施形態又は第２の実施形態に係るソックス１０は、靴底及び中敷における所定の領域に滑り止め部材が配設された靴と組み合わせることにより、ソックス１０の第１の滑り止め部材３ａ及び第２の滑り止め部材３ｂと靴の中敷の滑り止め部材とが係合し、靴の中敷に対するソックス１０のコーナー外側に流れる横滑りを防止して、走行者を前方に推進させる地面からの反力を効率よく受け止め、走行ロスを抑制し、前方への推進力をより向上することができる。
【符号の説明】
【００５３】
１      ベース生地
２      帯状部
２ａ    第１の帯状部
２ｂ    第２の帯状部
３ａ    第１の滑り止め部材
３ｂ    第２の滑り止め部材
３ｃ    第３の滑り止め部材
３ｄ    第４の滑り止め部材
１０    ソックス
１０ａ  左足用靴下
１０ｂ  右足用靴下
１１    足部
１１ａ  かかと部
１１ｂ  爪先部
１１ｃ  足甲部
１１ｄ  足底部
１２    身部
１３    口ゴム部
２１    支点
２２    作用点
１００ａ  左足
１００ｂ  右足
１１１  母趾
１１２  第２趾
１１３  第３趾
１１４  第４趾
１１５  第５趾
１２１  第１中足骨
１２１ａ  第１中足骨骨頭部
１２１ｂ  第１中足骨基底部
１２４  第４中足骨
１２５  第５中足骨
１２５ａ  第５中足骨骨頭部
１２５ｂ  第５中足骨基底部
１３０  立方骨
１４０  踵骨
１５０  内側楔状骨
１６０  舟状骨
１７０  距骨
１８０  中足趾節関節
１９０  足根中足関節
【図１】
2014101587.tif 000003
【図２】
2014101587.tif 000004
【図３】
2014101587.tif 000005
【図４】
2014101587.tif 000006